(57)【特許請求の範囲】
【請求項１】
壁体に形成した開口部内に配設される扉本体と；前記開口部の一側端近傍位置を支点として揺動するとともに、先端部が前記扉本体の上端部に上枢着部材を介し枢着される上アームと；前記開口部の上アームと同一の一側端近傍位置を支点として揺動するとともに、先端部が前記扉本体の下端部に下枢着部材を介し枢着される下アームと；前記両アームの支点側の端部間を連結して連動させるアーム連動支柱と；前記開口部の上端下面に配設され、前記扉本体上端の長手方向中間部に設けられた支点部材を移動可能に支持する上レールと；を備え、前記下枢着部材は、扉本体の下面に設けた凹部内に取付けられ、下方に突出して先端が下アーム先端のピン挿通孔を貫通する下枢着ピンと；下枢着ピンのピン挿通孔を貫通した先端部に着脱可能に装着される抜け止めクリップと；を有し、かつ前記抜け止めクリップは、基端部が下枢着ピンに装着されて水平方向に突出し、下枢着ピン廻りに回動させた際に先端部が扉本体の厚さよりも外側に突出するクリップ部と；クリップ部の先端から上方に立上がり、上端部が前記凹部の内部まで達する長さを有するフランジ部と；を有していることを特徴とする折りたたみ回転扉。
【請求項２】
壁体に形成した開口部内に配設される扉本体と；前記開口部の一側端近傍位置を支点として揺動するとともに、先端部が前記扉本体の上端部に上枢着部材を介し枢着される上アームと；前記開口部の上アームと同一の一側端近傍位置を支点として揺動するとともに、先端部が前記扉本体の下端部に下枢着部材を介し枢着される下アームと；前記開口部の上端下面および下端上面にそれぞれ配設され、前記扉本体上端の長手方向中間部および扉本体下端の長手方向中間部にそれぞれ設けられた上支点部材および下支点部材を移動可能にそれぞれ支持する上レールおよび下レールと；を備え、前記下枢着部材は、扉本体の下面に設けた凹部内に取付けられ、下方に突出して先端が下アーム先端のピン挿通孔を貫通する下枢着ピンと；下枢着ピンのピン挿通孔を貫通した先端部に着脱可能に装着される抜け止めクリップと；を有し、かつ前記抜け止めクリップは、基端部が下枢着ピンに装着されて水平方向に突出し、下枢着ピン廻りに回動させた際に先端部が扉本体の厚さよりも外側に突出するクリップ部と；クリップ部の先端から上方に立上がり、上端部が前記凹部の内部まで達する長さを有するフランジ部と；を有していることを特徴とする折りたたみ回転扉。
【請求項３】
上枢着部材は、扉本体の上面に設けた凹部内に取付けられる上部金具と；上アーム先端のピン挿通孔に上端頭部位置まで挿入され、下端部が前記上部金具に連結される上枢着ピンと；この上枢着ピンに上アームの下面側から着脱可能に装着されるガタ付き防止クリップと；を備え、前記ガタ付き防止クリップは、基端部が上枢着ピンに装着されて水平方向に突出し、上枢着ピン廻りに回動させた際に先端部が扉本体の厚さよりも外側に突出するクリップ部と；クリップ部の先端から下方に屈曲し、下端部が前記凹部の内部まで達する長さを有するフランジ部と；を有していることを特徴とする請求項１または２記載の折りたたみ回転扉。
【発明の詳細な説明】
【０００１】
【発明の属する技術分野】
本発明は、開放時の通路幅が広く、開閉用の所要スペースを小さくすることができる折りたたみ回転扉に係り、特に扉本体と下アームとを枢着する下枢着部材の改良に関する。
【０００２】
従来から、例えば特開平９−１８４３５２号公報に示されているように、壁体に形成した開口部内に配設される扉本体と；前記開口部の一側端近傍位置を支点として揺動するとともに、先端部が前記扉本体の上端部に上枢着部材を介し枢着される上アームと；前記開口部の上アームと同一の一側端近傍位置を支点として揺動するとともに、先端部が前記扉本体の下端部に下枢着部材を介し枢着される下アームと；前記両アームの支点側の端部間を連結して連動させるアーム連動支柱と；前記開口部の上端下面に配設され、前記扉本体上端の長手方向中間部に設けられた支点部材を移動可能に支持する上レールと；からなる折りたたみ回転扉は一般に知られている。
【０００３】
【発明が解決しようとする課題】
ところで、この種の折りたたみ回転扉において、扉本体を開口部内から取出す場合には、上下のアームと扉本体とを連結している上下の各枢着部材を取出すとともに、上レールと扉本体とを連結している支点部材を取出す必要がある。
【０００４】
ここで、扉本体の上端側については、広い作業スペースを容易に確保することができるため、上枢着部材および支点部材は、どのような構造であっても比較的簡単に取出すことができるが、扉本体の下端側については、床面との間隔が極めて狭く、広い作業スペースを確保することができないため、下枢着部材の取外しが容易でないという問題がある。
【０００５】
本発明はかかる現況に鑑みなされたもので、扉本体と下アームとを連結している下枢着部材を容易に取外すことができるとともに、再組立ても極めて容易な折りたたみ回転扉を提供することを目的とする。
【０００６】
本発明の他の目的は、上アームと下アームとが連動しない構造の折りたたみ回転扉にも適用できるようにすることにある。
【０００７】
本発明のさらに他の目的は、扉本体の上端側に広い作業スペースを確保することができない場合であっても、扉本体と上アームとを連結している上枢着部材のガタ付きを容易に防止することができるとともに、容易に取外すこともできるようにすることにある。
【０００８】
【課題を解決するための手段】
前記目的を達成するため本発明は、壁体に形成した開口部内に配設される扉本体と；前記開口部の一側端近傍位置を支点として揺動するとともに、先端部が前記扉本体の上端部に上枢着部材を介し枢着される上アームと；前記開口部の上アームと同一の一側端近傍位置を支点として揺動するとともに、先端部が前記扉本体の下端部に下枢着部材を介し枢着される下アームと；前記両アームの支点側の端部間を連結して連動させるアーム連動支柱と；前記開口部の上端下面に配設され、前記扉本体上端の長手方向中間部に設けられた支点部材を移動可能に支持する上レールと；を設け、前記下枢着部材を、扉本体の下面に設けた凹部内に取付けられ、下方に突出して先端が下アーム先端のピン挿通孔を貫通する下枢着ピンと；下枢着ピンのピン挿通孔を貫通した先端部に着脱可能に装着される抜け止めクリップと；で構成し、かつ前記抜け止めクリップを、基端部が下枢着ピンに装着されて水平方向に突出し、下枢着ピン廻りに回動させた際に先端部が扉本体の厚さよりも外側に突出するクリップ部と；クリップ部の先端から上方に立上がり、上端部が前記凹部の内部まで達する長さを有するフランジ部と；で構成するようにしたことを特徴とする。そしてこれにより、抜け止めクリップの着脱が極めて容易となり、下アームを下方に撓ませれば、扉本体としたアームとの連結を容易に解除することが可能となる。
【０００９】
本発明はまた、壁体に形成した開口部内に配設される扉本体と；前記開口部の一側端近傍位置を支点として揺動するとともに、先端部が前記扉本体の上端部に上枢着部材を介し枢着される上アームと；前記開口部の上アームと同一の一側端近傍位置を支点として揺動するとともに、先端部が前記扉本体の下端部に下枢着部材を介し枢着される下アームと；前記開口部の上端下面および下端上面にそれぞれ配設され、前記扉本体上端の長手方向中間部および扉本体下端の長手方向中間部にそれぞれ設けられた上支点部材および下支点部材を移動可能にそれぞれ支持する上レールおよび下レールと；を設け、前記下枢着部材を、扉本体の下面に設けた凹部内に取付けられ、下方に突出して先端が下アーム先端のピン挿通孔を貫通する下枢着ピンと；下枢着ピンのピン挿通孔を貫通した先端部に着脱可能に装着される抜け止めクリップと；で構成し、かつ前記抜け止めクリップを、基端部が下枢着ピンに装着されて水平方向に突出し、下枢着ピン廻りに回動させた際に先端部が扉本体の厚さよりも外側に突出するクリップ部と；クリップ部の先端から上方に立上がり、上端部が前記凹部の内部まで達する長さを有するフランジ部と；で構成するようにしたことを特徴とする。そしてこれにより、上アームと下アームとが連動しない構造の折りたたみ回転扉にも適用することが可能となり、同様の効果が期待できる。
【００１０】
本発明はさらに、上枢着部材を、扉本体の上面に設けた凹部内に取付けられる上部金具と；上アーム先端のピン挿通孔に上端頭部位置まで挿入され、下端部が前記上部金具に連結される上枢着ピンと；この上枢着ピンに上アームの下面側から着脱可能に装着されるガタ付き防止クリップと；で構成するとともに、前記ガタ付き防止クリップを、基端部が上枢着ピンに装着されて水平方向に突出し、上枢着ピン廻りに回動させた際に先端部が扉本体の厚さよりも外側に突出するクリップ部と；クリップ部の先端から下方に屈曲し、下端部が前記凹部の内部まで達する長さを有するフランジ部と；で構成するようにしたことを特徴とする。そしてこれにより、扉本体は上端側に広い作業スペースを確保することができない場合であっても、扉本体と上アームとを連結している上枢着部材のガタ付きを容易に防止することが可能となるとともに、容易に取外すことも可能となる。
【００１１】
【発明の実施の形態】
以下、本発明を図面を参照して説明する。
図１および図２は、本発明の第１の実施の形態に係る折りたたみ回転扉を示すもので、この折りたたみ回転扉１は、壁体２に形成した開口部３内に配設される扉本体４を備えており、この扉本体４は、折りたたみ回転機構５を介して、開口部３内に折りたたみ回転可能に取付けられている。
【００１２】
前記開口部３は、図１および図２に示すように、上枠６と、両側の縦枠７ａ，７ｂと、床８とで構成されており、また前記折りたたみ機構５は、上下端に上アーム９および下アーム１０が一体に連結されたアーム連動支柱１１と、前記開口部３の上枠６下面に配設された上レール１２と、前記扉本体４上端の長手方向中間部に設けられて前記上レール１２に係合され扉本体４の折りたたみ回転に伴ない上レール１２にそって移動する支点部材１３とを備えている。
【００１３】
前記アーム連動支柱１１は、図１および図２に示すように、例えば角筒状に形成されており、このアーム連動支柱１１の上下端部には、上アーム９および下アーム１０の各基端部が一体に連結固定されているとともに、アーム連動支柱１１は、ヒンジ１４を介して開口部３の一方の縦枠７ｂに回動可能に取付けられている。そして、このアーム連動支柱１１の回動により、前記両アーム９，１０が連動して水平方向に揺動するようになっている。
【００１４】
これら各アーム９，１０の先端部は、図１および図２に示すように、上枢着部材１５および下枢着部材１６をそれぞれ介し扉本体４の上端部および下端部に枢着されており、扉本体４は、折りたたみ回転する際にこれら両枢着部材１５，１６位置を支点として回転するようになっている。
【００１５】
前記上枢着部材１５は、図３および図４に示すように、扉本体４の上面に形成した凹部１７内に固設される上部金具１８を備えており、この上部金具１８は、前記凹部１７内にビス１９を介し固定される固定プレート２０と、この固定プレート２０の下面に溶着された緩み止め付きのナット２１とを有し、前記上アーム９と上部金具１８とは、上枢着ピン２２を介して連結されるようになっている。
【００１６】
この上枢着ピン２２は、図３ないし図５に示すように前記上アーム９の先端に設けたピン挿通孔２３に、ブシュ２４を介して上方から挿入される上端頭部２２ａと、上端頭部２２ａの下方に連続するボルト部２２ｂとで構成されており、前記上端頭部２２ａの下端周面には、後述するガタ付き防止クリップ２５が着脱可能に装着されるリング溝２６が設けられ、また前記ボルト部２２ｂは、前記ナット２１に上方から螺装連結されるようになっている。
【００１７】
前記ガタ付き防止クリップ２５は、図５に示すように、基端部に前記リング溝２６に着脱可能に装着可能な装着凹部２７ａを有する板状のクリップ部２７と、クリップ部２７の先端から下方に直角状に屈曲するフランジ部２８とで構成されており、このガタ付き防止クリップ２５は、図３および図４に示すように、前記上アーム９の下面側から上枢着ピン２２に装着されるようになっている。そして、このガタ付き防止クリップ２５の装着により、上枢着ピン２２と上アーム９との間のガタ付きが防止されるようになっている。
【００１８】
また、前記クリップ部２７は、図３に示すように、上枢着ピン２２廻りに回動させた際に、フランジ部２８側の先端部が、扉本体４の厚さよりも外側に突出するよう長さ設定されており、これにより、ガタ付き防止クリップ２５を扉本体４の外側から着脱操作できるようになっている。
【００１９】
また、前記フランジ部２８は、図４に示すように、ガタ付き防止クリップ２５を上枢着ピン２２に装着した状態において、その下端部が前記凹部１７の内部にまで達するよう長さ設定されており、これにより、通常の装着状態では、ガタ付き防止クリップ２５が凹部１７から外側に突出することがないようになっている。
【００２０】
一方、前記下枢着部材１６は、図６および図７に示すように、扉本体４の下面に形成した凹部２９内に固設される下部金具３０を備えており、この下部金具３０は、前記凹部２９内にビス３１を介し固定される固定プレート３２を有し、その中央部には、ピン孔を有する凹陥部３３が設けられている。そして、この下部金具３０と前記下アーム１０とは、下枢着ピン３４を介して連結され、この下枢着ピン３４は、抜け止めクリップ３５により抜け止めがなされている。
【００２１】
すなわち、前記下枢着ピン３４は、図６ないし図８に示すように、鍔状の上端頭部３４ａと、上端頭部３４ａの下方に連続する軸部３４ｂとで構成されており、この下枢着ピン３４は、扉本体４に固定する前の固定プレート３２の凹陥部３３に上方から挿入され、この状態で固定プレート３２を凹部２９内に固定することにより、扉本体４の下端に固定されるようになっている。
【００２２】
また、前記下枢着ピン３４の軸部３４ｂ下端周面には、図６ない図８に示すうよに、後に詳述する抜け止めクリップ３５が着脱可能に装着されるリング溝３６が設けられており、この軸部３４ｂは、前記下アーム１０の先端に設けたピン挿通孔３７に、ブシュ３８を介して上方から挿入され、前記抜け止めクリップ３５は、下アーム１０の下面側から下枢着ピン３４に装着されるようになっている。
【００２３】
前記抜け止めクリップ３５は、図８に示すように、基端部に前記リング溝３６に着脱可能に装着可能な装着凹部３９ａを有する板状のクリップ部３９と、クリップ部３９の先端から上方に直角状に立上がるフランジ部４０とで構成されており、前記クリップ部３９は、図６に示すように、下枢着ピン３４廻りに回動させた際に、フランジ部４０側の先端部が、扉本体４の厚さよりも外側に突出するよう長さ設定されている。そしてこれにより、抜け止めピンを扉本体４の外側から着脱操作できるようになっている。
【００２４】
また、前記フランジ部４０は、図７に示すように、抜け止めクリップ３５を下枢着ピン３４に装着した状態において、その上端部が前記凹部２９の内部にまで達するよう長さ設定されており、これにより、通常の装着状態では、抜け止めクリップ３５が凹部２９から外側に突出することがないようになっている。
【００２５】
次に、本実施の形態の作用について説明する。
扉本体４を開口部３内から取外す場合には、まず下枢着部材１６の抜け止めクリップ３５を取外した後、上枢着部材１５のガタ付き防止クリップ２５を取外す。そしてその後、上枢着ピン２２を取外して扉本体４を開口部３内から取出す。
【００２６】
下枢着部材１６の抜け止めクリップ３５を取外す場合には、まず図７に示す状態の抜け止めクリップ３５のクリップ部３９と扉本体４との間に、ドライバーのような工具を挿入してクリップ部３９を下方に撓ませる。すると、上端部が凹部２９の内部にまで達していたフランジ部４０が、クリップ部３９の撓みにより凹部２９内から下方に抜き出され、抜け止めクリップ３５が下枢着ピン３４廻りに回動可能となる。そこで、抜け止めクリップ３５を、下枢着ピン３４廻りに９０度程度回動させる。すると、図６に鎖線で示すように、クリップ部３９のフランジ部４０側の端部が、扉本体４の厚さよりも外側に突出することになる。
【００２７】
そこで、この突出部分を把持して、抜け止めクリップ３５を強く引張り、下枢着ピン３４から取出す。そしてその後、下アーム１０を下方に撓ませて、そのピン挿通孔３７から下枢着ピン３４を抜き出す。
【００２８】
なお、取外した抜け止めクリップ３５を取付ける場合には、前述した取外しの際の操作と逆の手順で行なえばよい。
【００２９】
一方、上枢着部材１５のガタ付き防止クリップ２５を取出す場合には、まず図４に示す状態のガタ付き防止クリップ２５のクリップ部２７と扉本体４との間に、ドライバーのような工具を挿入してクリップ部２７を上方に撓ませる。すると、下端部が凹部１７の内部にまで達していたフランジ部２８が、クリップ部２７の撓みにより凹部１７内から上方に抜き出され、ガタ付き防止クリップ２５が上枢着ピン２２廻りに回動可能となる。そこで、ガタ付き防止クリップ２５を上枢着ピン２２廻りに９０度程度回動させる。すると、図３に鎖線で示すように、クリップ部２７のフランジ部２８側の端部が、扉本体４の厚さよりも外側に突出することになる。
【００３０】
そこで、この突出部分を把持して、ガタ付き防止クリップ２５を強く引張り、上枢着ピン２２から取外す。そしてその後、上枢着ピン２２とナット２１との螺装連結を解除し、上枢着ピン２２を上方に抜き出す。
【００３１】
なお、取外したガタ付き防止クリップ２５を取付ける場合には、前述した取外しの際の操作と逆の手順で行なえばよい。
【００３２】
しかして、各枢着部材１５，１６の各クリップ２５，３５は、いずれも扉本体４の外側からの作業で簡単に着脱することができるので、広い作業スペースを確保することができない場合であっても、容易に作業を行なうことができる。
【００３３】
なお、前記第１の実施の形態においては、上アーム９と下アーム１０とが連動する場合，すなわち上アーム９と下アーム１０とが、アーム連動支柱１１を介し連結される場合について説明したが、上下のアーム９，１０は、必ずしも連動している必要はない。
【００３４】
図９は、このような構造の折りたたみ回転扉１を示す本発明の第２の実施の形態を示すもので、前記第１の実施の形態における折りたたみ回転機構５に代え、折りたたみ回転機構５５を用いるようにしたものである。
【００３５】
すなわち、前記折りたたみ回転機構５５は、図９に示すように、基端部が上枠６下面に上アーム支点部材５９ａを介し枢着されて水平方向に揺動する上アーム５９と、基端部が床８上面に下アーム支点部材６０ａを介し枢着されて水平方向に揺動する下アーム６０とを備えており、これら各アーム５９，６０の先端部は、図９に示すように、上枢着部材６５および下枢着部材６６をそれぞれ介し扉本体４の上端部および下端部に枢着され、扉本体４は、折りたたみ回転する際にこれら両枢着部材６５，６６位置を支点として回転するようになっている。
【００３６】
前記上枠６の下面にはまた、図９に示すように、上レール６２が配設されており、この上レール６２には、扉本体４上端の長手方向中間部に設けた上支点部材６３が係合され、扉本体４の折りたたみ回転に伴ない上レール６２にそって移動するようになっている。
【００３７】
また、前記床８上には、図９に示すように、下レール６７が配設されており、この下レール６７には、扉本体４下端の長手方向中間部に設けた下支点部材６８が係合され、扉本体４の折りたたみ回転に伴ない下レール６７にそって移動するようになっている。
【００３８】
前記上枢着部材６５および下枢着部材６６は、前記第１の実施の形態における各枢着部材１５，１６と全く同一構成となっており、したがって、図示しない抜け止めクリップおよびガタ付き防止クリップを扉本体４の外側から着脱することにより、容易に取外すことができるようになっている。
なお、その他の点については、前記第１の実施の形態と同一構成となっており、作用も同一である。
【００３９】
しかして、本実施の形態の場合にも、各枢着部材６５，６６の取外しおよび再組立てが容易で、広い作業スペースが確保できない場合であっても、何等支障なく作業を行なうことができる。
【００４０】
なお、前記各実施の形態においては、上枢着部材１６，６６について、ガタ付き防止クリップ２５を用いて上枢着ピン２２との間のガタ付き防止を行なう場合について説明したが、扉本体４の上端側は、広い作業スペースを確保することが比較的容易であるので、上枢着部材１６，６６については、必ずしもガタ付き防止クリップ２５を用いたガタ付き防止構造とする必要はなく、他の構造であってもよい。
【００４１】
【発明の効果】
以上説明したように本発明は、壁体に形成した開口部内に配設される扉本体と；前記開口部の一側端近傍位置を支点として揺動するとともに、先端部が前記扉本体の上端部に上枢着部材を介し枢着される上アームと；前記開口部の上アームと同一の一側端近傍位置を支点として揺動するとともに、先端部が前記扉本体の下端部に下枢着部材を介し枢着される下アームと；前記両アームの支点側の端部間を連結して連動させるアーム連動支柱と；前記開口部の上端下面に配設され、前記扉本体上端の長手方向中間部に設けられた支点部材を移動可能に支持する上レールと；を設け、前記下枢着部材を、扉本体の下面に設けた凹部内に取付けられ、下方に突出して先端が下アーム先端のピン挿通孔を貫通する下枢着ピンと；下枢着ピンのピン挿通孔を貫通した先端部に着脱可能に装着される抜け止めクリップと；で構成し、かつ前記抜け止めクリップを、基端部が下枢着ピンに装着されて水平方向に突出し、下枢着ピン廻りに回動させた際に先端部が扉本体の厚さよりも外側に突出するクリップ部と；クリップ部の先端から上方に立上がり、上端部が前記凹部の内部まで達する長さを有するフランジ部と；で構成するようにしているので、抜け止めクリップの着脱が極めて容易となり、下アームを下方に撓ませれば、扉本体としたアームとの連結を容易に解除することができる。
【００４２】
本発明はまた、壁体に形成した開口部内に配設される扉本体と；前記開口部の一側端近傍位置を支点として揺動するとともに、先端部が前記扉本体の上端部に上枢着部材を介し枢着される上アームと；前記開口部の上アームと同一の一側端近傍位置を支点として揺動するとともに、先端部が前記扉本体の下端部に下枢着部材を介し枢着される下アームと；前記開口部の上端下面および下端上面にそれぞれ配設され、前記扉本体上端の長手方向中間部および扉本体下端の長手方向中間部にそれぞれ設けられた上支点部材および下支点部材を移動可能にそれぞれ支持する上レールおよび下レールと；を設け、前記下枢着部材を、扉本体の下面に設けた凹部内に取付けられ、下方に突出して先端が下アーム先端のピン挿通孔を貫通する下枢着ピンと；下枢着ピンのピン挿通孔を貫通した先端部に着脱可能に装着される抜け止めクリップと；で構成し、かつ前記抜け止めクリップを、基端部が下枢着ピンに装着されて水平方向に突出し、下枢着ピン廻りに回動させた際に先端部が扉本体の厚さよりも外側に突出するクリップ部と；クリップ部の先端から上方に立上がり、上端部が前記凹部の内部まで達する長さを有するフランジ部と；で構成するようにしているので、上アームと下アームとが連動しない構造の折りたたみ回転扉にも適用することができ、同様の効果が期待できる。
【００４３】
本発明はさらに、上枢着部材を、扉本体の上面に設けた凹部内に取付けられる上部金具と；上アーム先端のピン挿通孔に上端頭部位置まで挿入され、下端部が前記上部金具に連結される上枢着ピンと；この上枢着ピンに上アームの下面側から着脱可能に装着されるガタ付き防止クリップと；で構成するとともに、前記ガタ付き防止クリップを、基端部が上枢着ピンに装着されて水平方向に突出し、上枢着ピン廻りに回動させた際に先端部が扉本体の厚さよりも外側に突出するクリップ部と；クリップ部の先端から下方に屈曲し、下端部が前記凹部の内部まで達する長さを有するフランジ部と；で構成するようにしているので、扉本体は上端側に広い作業スペースを確保することができない場合であっても、扉本体と上アームとを連結している上枢着部材のガタ付きを容易に防止することができるとともに、容易に取外すこともできる。
【図面の簡単な説明】
【図１】本発明の第１の実施の形態を示す折りたたみ回転扉の全体構成図である。
【図２】図１の拡大水平断面図である。
【図３】図１の上枢着部材周りの構成を示す詳細図である。
【図４】図３を側方から見た断面構成図である。
【図５】上枢着ピン，ブシュおよびガタ付き防止クリップを分解して示す詳細図である。
【図６】図１の下枢着部材周りの構成を示す詳細図である。
【図７】図６を側方から見た断面構成図である。
【図８】下枢着ピン，ブシュおよび抜け止めクリップを分解して示す詳細図である。
【図９】本発明の第２の実施の形態を示す図１相当図である。
【符号の説明】
１  折りたたみ回転扉
２  壁体
３  開口部
４  扉本体
５，５５  折りたたみ回転機構
６  上枠
７ａ，７ｂ  縦枠
８  床
９，５９  上アーム
１０，６０  下アーム
１１  アーム連動支柱
１２，６２  上レール
１３  支点部材
１４  ヒンジ
１５，６５  上枢着部材
１６，６６  下枢着部材
１７，２９  凹部
１８  上部金具
２０，３２  固定プレート
２１  ナット
２２  上枢着ピン
２２ａ，３４ａ  上端頭部
２２ｂ  ボルト部
２３，３７  ピン挿通孔
２４，３８  ブシュ
２５  抜け止めクリップ
２６，３６  リング溝
２７，３９  クリップ部
２７ａ，３９ａ  装着凹部
２８，４０  フランジ部
３０  下部金具
３３  凹陥部
３４  下枢着ピン
３４ｂ  軸部
３５  ガタ付き防止クリップ
５９ａ  上アーム支点部材
６０ａ  下アーム支点部材
６３  上支点部材
６７  下レール
６８  下支点部材
【図１】
0004431247.tif 000002
【図２】
0004431247.tif 000003
【図３】
0004431247.tif 000004
【図４】
0004431247.tif 000005
【図５】
0004431247.tif 000006
【図６】
0004431247.tif 000007
【図７】
0004431247.tif 000008
【図８】
0004431247.tif 000009
【図９】
0004431247.tif 000010